(57)【要約】【課題】実際の天気に基づいて気象予報の訓練を効果的に行えるようにする。【解決手段】記録媒体３に、気象予報士試験問題用の天気図とそれに対応する気象パターンの試験問題とを多数データベース化した試験問題データベース１７を備え、アクセス操作に応答して、そのアクセス時からの気象予報に必要な気象予報用天気図に基づいて、試験問題データベース１７にデータベース化された試験問題用天気図のうちから、気象予報用天気図と最も類似した試験問題用天気図に対応する気象パターンの試験問題を抽出し、表示手段７に表示させたりプリンター８でプリントアウトさせたりして利用者に提供する。【選択図】　　　　図１
2004020382.tif 000002
【特許請求の範囲】
【請求項１】
気象予報士試験問題用の天気図およびグラフとそれらに対応する気象パターンの試験問題とを多数データベース化した試験問題データベースと、
アクセス操作に応答して、そのアクセス時からの気象予報に必要な気象予報用天気図およびグラフに基づき、前記試験問題データベースにデータベース化された試験問題用天気図およびグラフのうちから、気象予報用天気図およびグラフと最も類似した試験問題用天気図およびグラフに対応する気象パターンの試験問題を抽出する試験問題抽出手段と、
試験問題データベースにデータベース化された試験問題に対応する正答を格納した正答データベースと、
前記試験問題抽出手段による試験問題抽出後におけるアクセス操作に応答して、前記試験問題抽出手段で抽出された試験問題に対する正答を抽出する正答抽出手段と、
を備えたことを特徴とする気象予報訓練システム。
【請求項２】
気象予報士試験問題用の天気図およびグラフとそれらに対応する気象パターンの試験問題とを多数データベース化した試験問題データベースと、
予め登録された利用者からのアクセス操作に応答して、そのアクセス時からの気象予報に必要な気象予報用天気図およびグラフに基づき、前記試験問題データベースにデータベース化された試験問題用天気図およびグラフのうちから、気象予報用天気図およびグラフと最も類似した試験問題用天気図およびグラフに対応する気象パターンの試験問題を抽出する試験問題抽出手段と、
前記試験問題抽出手段で抽出された試験問題を参考にして作成した試験問題を利用者に送信する送信手段と、
を備えたことを特徴とする気象予報訓練システム。
【請求項３】
請求項２に記載の気象予報訓練システムにおいて、
利用者からの解答を受信する受信手段を備え、
前記受信手段で受信した解答の添削を行い、模範解答とともに添削結果を送信手段により利用者に送信するものである気象予報訓練システム。
【請求項４】
気象予報士試験問題用の天気図およびグラフとそれらに対応する気象パターンの試験問題とを多数データベース化した試験問題データベース、および、前記試験問題データベースにデータベース化された試験問題に対応する正答を格納した正答データベースを記録し、かつ、
アクセス操作により、そのアクセス時からの気象予報に必要な気象予報用天気図およびグラフに基づいて、前記試験問題用天気図およびグラフのうちから、気象予報用天気図およびグラフと最も類似した試験問題用天気図およびグラフに対応する気象パターンの試験問題を抽出する試験問題抽出処理過程と、
前記試験問題抽出処理過程で抽出した試験問題を表示手段に出力させる出力処理過程と、
前記試験問題抽出手段による試験問題抽出後におけるアクセス操作に応答して、前記正答データベースから、前記試験問題抽出手段で抽出された試験問題に対する正答を抽出する正答抽出処理過程と、
をコンピュータに実行させるためのプログラムを記録してあることを特徴とするコンピュータ読取可能な記録媒体。
【発明の詳細な説明】
【０００１】
【発明の属する技術分野】
本発明は、気象予報訓練システムおよび記録媒体に関する。
【０００２】
【従来の技術】
近年、気象予報士試験が国家試験として実施されるようになっている。ところが、気象予報士試験は、学科一般、学科専門、実技から構成され、その中で、実技試験が難解なものになっている。実技試験は、十数枚の支援資料［各高度の天気図、予想天気図、横軸に気温、縦軸に地上からの高さに対応する気圧を示したグラフ（エマグラムと称される）など］に基づいて、現象の物理的な説明に関する穴埋めや、今後の天気の展開についての予報に関する記述や作図を行うようになっている。
一般に、上述のような実技試験のための学習としては、講習会であるとか参考用の書籍や問題集などに頼っているのが実情である。
【０００３】
また、気象予報に関連する従来例としては、次のようなものがあるが、いずれも有効なものとは言い難いものであった。
Ａ．第１従来例（特開平１０−２１３１２号公報）
第１従来例は気象予測コンペ運営装置であり、予め定められた場所日時の気象状態（天気、気温、湿度、気圧、風速、風向）を予測させ、その予測した気象状態と、気象観測データに基づく予め定められた場所日時の実際の気象状態とを比較し、その予測の当否を競わせるようになっている。
【０００４】
Ｂ．第２従来例（特開２０００−６６５７１号公報）
第２従来例は天気予報ゲーム機であり、天気図と気象データならびに天気を予報すべき地域および日時が予め定められるとともに、それに対する模範解答が用意され、プレイヤーの選択によって一つの天気図と気象データとが表示され、予想すべき地域および日時を指定した設問がなされ、それに対してプレイヤーが解答を入力し、その解答と模範解答とを比較して予報の当否判定および得点の演算を行って結果を表示するようになっている。
【０００５】
【発明が解決しようとする課題】
しかしながら、第１および第２従来例の場合、それぞれ次のような欠点があった。
ａ．第１従来例の欠点
過去のデータに基づく気象予報とは異なり、それらの傾向とかけ離れる程興趣をそそるものであり、気象予報士の試験に対する学習や現実の気象予報の訓練には有効ではないものである。
ｂ．第２従来例の欠点
問題集をゲーム機に組み込んだ形式のものに過ぎず、学習意欲を高めることができず、効果的な学習や気象予報の訓練を行い難いものであった。
【０００６】
本発明は、このような事情に鑑みてなされたものであって、請求項１に係る発明は、実際の天気に基づいて気象予報の訓練を効果的に行えるとともに、気象予報士の実技試験に対する学習を効果的に行えるようにすることを目的とし、請求項２に係る発明は、実際の天気に基づいて気象予報の訓練をより効果的に行えるようにすることを目的とし、請求項３に係る発明は、気象予報士の実技試験に対する学習をより効果的に行えるようにすることを目的とし、請求項４に係る発明は、気象予報の訓練を効果的に行える記録媒体を提供することを目的とする。
【０００７】
【課題を解決するための手段】
請求項１に係る発明の気象予報訓練システムは、上述した目的を達成するために、
気象予報士試験問題用の天気図およびグラフとそれらに対応する気象パターンの試験問題とを多数データベース化した試験問題データベースと、
アクセス操作に応答して、そのアクセス時からの気象予報に必要な気象予報用天気図およびグラフに基づき、前記試験問題データベースにデータベース化された試験問題用天気図およびグラフのうちから、気象予報用天気図およびグラフと最も類似した試験問題用天気図およびグラフに対応する気象パターンの試験問題を抽出する試験問題抽出手段と、
試験問題データベースにデータベース化された試験問題に対応する正答を格納した正答データベースと、
前記試験問題抽出手段による試験問題抽出後におけるアクセス操作に応答して、前記試験問題抽出手段で抽出された試験問題に対する正答を抽出する正答抽出手段とを備えて構成する。
【０００８】
（作用・効果）
請求項１に係る発明の気象予報訓練システムの構成によれば、アクセス操作に応じて、そのアクセス時からの気象予報に必要な気象予報用天気図およびグラフに基づき、その気象予報用天気図およびグラフに類似した天気図およびグラフの試験問題を抽出することができる。更に、試験問題に対する解答を出した後などの試験問題の抽出後に、試験問題に対する正答を得ることができる。
したがって、利用者がアクセス時点からの気象予報に必要な気象予報用天気図およびグラフに類似した天気図およびグラフの試験問題で学習できるから、それ以降刻々と変化する実際の気象やテレビなどによる天気予報と試験問題に対する解答とを比較することができ、気象予報に対する学習意欲を向上できて気象予報の訓練を効果的に行える。
しかも、実際の気象変化やテレビなどによる天気予報に加えて正答を得るから、解答との比較確認によって気象予報士の試験に対する正答率を有効に高めることができ、気象予報の訓練をより効果的に行える。
【０００９】
また、請求項２に係る発明の気象予報訓練システムは、前述のような目的を達成するために、
気象予報士試験問題用の天気図およびグラフとそれらに対応する気象パターンの試験問題とを多数データベース化した試験問題データベースと、
予め登録された利用者からのアクセス操作に応答して、そのアクセス時からの気象予報に必要な気象予報用天気図およびグラフに基づき、前記試験問題データベースにデータベース化された試験問題用天気図およびグラフのうちから、気象予報用天気図およびグラフと最も類似した試験問題用天気図およびグラフに対応する気象パターンの試験問題を抽出する試験問題抽出手段と、
前記試験問題抽出手段で抽出された試験問題を参考にして作成した試験問題を利用者に送信する送信手段とを備えて構成する。
【００１０】
（作用・効果）
請求項２に係る気象予報訓練システムの構成によれば、契約などにより、予め登録された利用者のアクセス操作に応じて、そのアクセス時からの気象予報に必要な気象予報用天気図およびグラフに類似した天気図およびグラフの試験問題を抽出し、その抽出した試験問題を参考にして気象予報用天気図およびグラフにより一層類似した天気図およびグラフの試験問題を作成し、その試験問題を作成することができる。
したがって、インターネットなどを通じてのビジネスとしての学習システムを構築でき、しかも、利用者は、アクセス時点からの気象予報に必要な気象予報用天気図およびグラフにより一層類似した天気図およびグラフの試験問題で学習するから、それ以降刻々と変化する実際の気象やテレビなどによる天気予報と試験問題に対する解答とを比較することができ、気象予報に対する学習意欲を向上できて気象予報の訓練をより効果的に行える。また、提供者側にとっては、気象予報用天気図およびグラフに類似した天気図およびグラフの試験問題に基づいて気象予報用天気図およびグラフにより類似した試験問題を作成できるから、試験問題を容易に作成して利用者に迅速に送信できる。
【００１１】
また、請求項３に係る発明は、前述のような目的を達成するために、
請求項２に記載の気象予報訓練システムにおいて、
利用者からの解答を受信する受信手段を備え、
前記受信手段で受信した解答の添削を行い、模範解答とともに添削結果を送信手段により利用者に送信するものである気象予報訓練システム。
【００１２】
（作用・効果）
請求項３に係る発明の気象予報訓練システムの構成によれば、試験問題に対する解答を受信した後に、解答の添削結果と模範解答を利用者に送信する。
したがって、実際の気象変化やテレビなどによる天気予報に加え、気象予報士の試験に即した模範解答を得るから、添削結果と模範解答との比較確認などの復習によって気象予報士の試験に対する学習を効果的に行うことができ、気象予報の訓練をより効果的に行える。
【００１３】
また、請求項４に係る発明のコンピュータ読取可能な記録媒体は、前述のような目的を達成するために、
気象予報士試験問題用の天気図およびグラフとそれらに対応する気象パターンの試験問題とを多数データベース化した試験問題データベース、および、前記試験問題データベースにデータベース化された試験問題に対応する正答を格納した正答データベースを記録し、かつ、
アクセス操作により、そのアクセス時からの気象予報に必要な気象予報用天気図およびグラフに基づいて、前記試験問題用天気図およびグラフのうちから、気象予報用天気図およびグラフと最も類似した試験問題用天気図およびグラフに対応する気象パターンの試験問題を抽出する試験問題抽出処理過程と、
前記試験問題抽出処理過程で抽出した試験問題を表示手段に出力させる出力処理過程と、
前記試験問題抽出手段による試験問題抽出後におけるアクセス操作に応答して、前記正答データベースから、前記試験問題抽出手段で抽出された試験問題に対する正答を抽出する正答抽出処理過程と、
をコンピュータに実行させるためのプログラムを記録してあることを特徴としている。
【００１４】
（作用・効果）
請求項４に係る発明のコンピュータ読取可能な記録媒体の構成によれば、
正答をも含めて、気象予報の訓練をより効果的に行える記録媒体を提供できる。このため、記録媒体を入手することによって、遠隔地などで講習に参加できなくても、一層容易に気象予報の訓練を行うことができる。
【００１５】
【発明の実施の形態】
次に、本発明の実施例を図面に基づいて詳細に説明する。
図１は、本発明に係る気象予報訓練システムの第１実施例を示す全体構成図であり、パーソナルコンピュータ１内に設けられたＣＰＵ２に、ＣＤ−ＲＯＭ等の記録媒体３からプログラムおよびデータを読み取るＣＤ−ＲＯＭドライバ等の補助記憶手段４、補助記憶手段４で読み取られたプログラムおよびデータを記録するハードディスク等の記録手段５、記録手段５からプログラムおよびデータを読み取り、一時的に記憶するＲＡＭ６が接続されている。
【００１６】
また、パーソナルコンピュータ１に、液晶表示装置などの表示手段７とプリンター８とマウスやキーボードなどの入力手段９とが接続され、ＣＰＵ２には、表示手段７に表示画像を出力する出力手段１０とプリンタ８に印刷画像を出力する印刷出力手段１１とが接続されている。
【００１７】
更に、ＣＰＵ２に、送信手段１２と受信手段１３とから成る通信手段１４が接続され、その通信手段１４に、インターネット１５を介して気象情報提供源１６が接続され、入力手段９によるアクセス操作に基づいて、そのアクセス時からの気象予報に必要な気象予報用天気図およびグラフを入手できるように構成されている。
【００１８】
記録媒体３には、ＣＰＵ２（コンピュータ）に実行させるため、下記の気象予報訓練システムのプログラムおよびデータがＣＰＵ２によって読み取り可能に記録されている。
▲１▼気象予報士試験問題用の天気図およびグラフとそれらに対応する気象パターンの試験問題とを多数データベース化した試験問題データベース１７
▲２▼試験問題データベースにデータベース化された試験問題に対応する正答を格納した正答データベース１８
▲３▼アクセス操作により、そのアクセス時からの気象予報に必要な気象予報用天気図およびグラフに基づいて、試験問題用天気図およびグラフのうちから、気象予報用天気図およびグラフと最も類似した試験問題用天気図およびグラフに対応する気象パターンの試験問題を抽出する試験問題抽出処理過程
▲４▼試験問題抽出手段による試験問題抽出後におけるアクセス操作に応答して、正答データベース１８から、試験問題抽出手段で抽出された試験問題に対する正答を抽出する正答抽出処理過程
▲５▼試験問題抽出処理過程で抽出した試験問題および正答抽出処理過程で抽出した正答を表示手段７に出力させる出力処理過程
【００１９】
試験問題データベース１７には、図２のテーブル図に示すように、基本気象パターンとして、「日本海低気圧型温帯低気圧」、「二つ玉低気圧型温帯低気圧」、「南岸低気圧型温帯低気圧」、「梅雨前線」、「台風」、「寒冷低気圧」、「冬型」、「その他」に分けられ、各基本気象パターンそれぞれにおいて１０個（合計８０個）の気象パターン１９［図３参照］が格納されている。
上記基本気象パターンとしては、上述のような８種類に限らず、適宜増減すれば良い。
【００２０】
気象パターン１９それぞれには、図３のテーブル図に示すように、試験問題用天気図およびグラフ２０［地上天気図、７００ｈＰａ天気図、８５０ｈＰａ天気図、３００ｈＰａ天気図、５００ｈＰａ天気図、雲解析情報図、高度・渦度予想図、地上気圧・降水量・風予想図、レーダ−エコー合成図、エマグラムなど１０枚余り］と、穴埋めパターン２１、作図パターン２２および記述パターン２３それぞれにおいて１０個の問題が格納されている。すなわち、試験問題データベース１７には、全体として８００問の問題が格納されている。
【００２１】
試験問題用天気図およびグラフ２０のうちの所定の天気図およびグラフにおいて、予報対象となる領域を中心とした、６×６の３６箇所の所定の地点での地上気圧値ＧＰＡ１…ＧＰＡ１８，ＧＰＢ１…ＧＰＢ６，ＧＰＣ１…ＧＰＣ６，ＧＰＤ１…ＧＰＤ６，ＧＰＥ１…ＧＰＥ６，ＧＰＦ１…ＧＰＦ６（以下ＧＰＡ１〜ＧＰＦ６と称する）が記憶されている。
また、正答データベース１８には、試験問題データベース１７に格納された試験問題それぞれに対応する正答（模範解答）が格納されている。
【００２２】
前述▲１▼〜▲５▼のプログラムをＣＰＵ２で読み取って実行させるに伴い、試験問題抽出手段、出力手段および正答抽出手段が備えられ、それらによって気象予報訓練システムを動作するようになっており、その動作を図４のフローチャートを用いて説明する。
【００２３】
先ず、記録媒体３をセットして読み込ませた後、インターネット１５を通じて気象情報提供源１６にアクセスし、そのアクセス操作に基づいて、そのアクセス時からの気象予報に必要な気象予報用天気図およびグラフを気象情報提供源１６から入手する。その入手した気象予報用天気図およびグラフから前述した所定地点での地上気圧値ＧＰａ１…ＧＰａ１８，ＧＰｂ１…ＧＰｂ６，ＧＰｃ１…ＧＰｃ６，ＧＰｄ１…ＧＰｄ６，ＧＰｅ１…ＧＰｅ６，ＧＰｆ１…ＧＰｆ６（以下ＧＰａ１〜ＧＰｆ６と称する）を入力し（Ｓ１）、順位番号ｎ（＝０〜７９）を１個ずつ繰り上げて気象パターンＰｎを特定する（Ｓ２）。
【００２４】
特定された気象パターンＰｎの地上気圧値ＧＰＡ１〜ＧＰＦ６と、地上気圧値ＧＰａ１〜ＧＰｆ６とを加減算して合計値を算出し（Ｓ３）、算出された合計値と、一回前に記憶された合計値とを比較し、小さい方の気象パターンを記憶する（Ｓ４）。これらの処理を８０個の気象パターンに対して行ったかどうかを判断し（Ｓ５）、全てが済むまでステップＳ２〜４の動作を繰返す。
【００２５】
全てが済んだ時点で、そのときに記憶されている気象パターンを、気象予報用天気図およびグラフと最も類似した試験問題用天気図およびグラフに対応する気象パターンとして抽出する（Ｓ６）。
【００２６】
その後、図５の選択画面の表示例の図に示すように、抽出された気象パターンから、穴埋めパターン、作図パターンおよび記述パターンそれぞれにおいて１〜１０の番号を表示して選択を促すようにし（Ｓ７）、各パターンそれぞれにおいて１０個の中から一つづつ選択する（Ｓ８）。上記ステップＳ１からステップＳ８までの処理が試験問題抽出手段による試験問題抽出処理に相当する。
【００２７】
ステップＳ８で選択するに伴い、その選択された試験問題を試験問題用天気図およびグラフとともに出力表示させ、プリンター８で印刷できるようにする（Ｓ９）。このとき、各パターンそれぞれでは、予め問題番号として１〜１０の番号が割り当てられているが、選択に伴い、選択された問題よりも後のものの番号が繰り上げられるとともに、選択された問題の番号が最後尾の１０になり、問題番号が変わり、同一の問題を継続して選択しにくいようにしてある。このステップＳ９が出力処理に相当する。
【００２８】
ステップＳ９で選択された試験問題を試験問題用天気図およびグラフとともに出力表示するときに、各試験問題をも正答データベース１８から抽出して格納しておき（Ｓ１０）、試験問題の解答が済んで答え合わせを行う際に、正答要求のアクセス操作が有った場合に（Ｓ１１）、その格納されている正答を出力表示する（Ｓ１２）上記ステップＳ１０からステップＳ１２までの処理が正答抽出手段による正答抽出処理に相当する。
【００２９】
以上のようにして、家庭などに居ながらにして、当日の天気からその後の気象予報を行い、予め準備された正答のみならず、その後の実際の気象変化からも気象予報が正しいかどうかを確認することができ、気象予報士の試験勉強を効果的に行える。
【００３０】
図５は、本発明に係る気象予報訓練システムの第２実施例を示す全体構成図であり、第１実施例と異なる点は、パーソナルコンピュータ１と同じ機能をサーバ３１に持たせた点にあり、記録媒体３ａの内部構成が同じであり、同一機能のものには同一図番を付してその説明を省略する。
【００３１】
サーバ３１内にＣＰＵ２ａが設けられ、そのＣＰＵ２ａに、ＣＤ−ＲＯＭ等の記録媒体３ａからプログラムおよびデータを読み取るＣＤ−ＲＯＭドライバ等の補助記憶手段４ａ、補助記憶手段４ａで読み取られたプログラムおよびデータを記録するハードディスク等の記録手段５ａ、および、記録手段５ａからプログラムおよびデータを読み取り、一時的に記憶するＲＡＭ６ａが接続されている。
【００３２】
また、パーソナルコンピュータ１に、液晶表示装置などの表示手段７ａとプリンター８ａとマウスやキーボードなどの入力手段９ａとが接続され、ＣＰＵ２ａには、表示手段７ａに表示画像を出力すり出力手段１０ａとプリンタ８ａに印刷画像を出力する印刷出力手段１１ａとが接続されている。
更に、ＣＰＵ２ａに、送信手段１２ａと受信手段１３ａとから成る通信手段１４ａが接続されている。
【００３３】
サーバ３１には、インターネット３２を介して気象情報提供源３３が接続されている。また、同様にインターネット３４を介して、予め登録された利用者のパーソナルコンピュータ３５と接続可能に接続されている。
パーソナルコンピュータ３５に、液晶表示装置などの表示手段３６とプリンター３７と、マウスやキーボードなどの入力手段３８が接続されている。
【００３４】
この第２実施例では、次のように動作するようになっている。
すなわち、予め登録された利用者からのアクセス操作に応答して、サーバ３１側において、前述第１実施例と同様に、そのアクセス時からの気象予報に必要な気象予報用天気図およびグラフをインターネット３２を介して気象情報提供源３３から入手する。
【００３５】
その入手された気象予報用天気図およびグラフに基づき、前述第１実施例と同様に、試験問題抽出手段により、所定地点での地上気圧値を入力するなどにより、試験問題データベース１７にデータベース化された試験問題用天気図およびグラフのうちから、気象予報用天気図およびグラフと最も類似した試験問題用天気図およびグラフに対応する気象パターンの試験問題を抽出する。
【００３６】
先に入手されている気象予報用天気図およびグラフと試験問題用天気図およびグラフとを比較し、抽出された気象パターンの試験問題を参考にして、サーバ３１側で修正を加えるなどにより、入手されている気象予報用天気図およびグラフにより対応した試験問題を作成し、その作成された試験問題と、それに必要な先に入手した試験問題用天気図およびグラフとを、予め登録された利用者のパーソナルコンピュータ３５やＦＡＸ受信機（図示せず）に、送信手段１２およびメールやスキャナー（図示せず）あるいはＦＡＸ（図示せず）ならびにインターネット３４や電話回線（図示せず）を介して送信する。
このとき、サーバ３１では、作成した試験問題に対する模範解答を、抽出された試験問題の正答を参考にして作成しておく。
【００３７】
予め登録された利用者は、送信された試験問題用天気図およびグラフと試験問題を表示手段３６に表示させたりプリンター３７でプリントアウトして入手し、それに対する解答を行い、その解答をメールやスキャナー（図示せず）あるいはＦＡＸ（図示せず）ならびにインターネット３４や電話回線（図示せず）によりサーバ３１に送信する。
【００３８】
サーバ３１では、利用者からの解答を受信手段１３を介して受信し、その解答に対して添削を行い、先に作成しておいた模範解答とともに添削結果を、予め登録された利用者のパーソナルコンピュータ３５やＦＡＸ受信機（図示せず）に、送信手段１２およびメールやスキャナー（図示せず）あるいはＦＡＸ（図示せず）ならびにインターネット３４や電話回線（図示せず）を介して送信する。
【００３９】
予め登録された利用者は、送信された添削結果と模範解答とによって気象予報士試験に対する学習を行えるのみならず、気象予報に関しては、実際の気象変化やテレビなどで得られる実際の天気図と照合することができ、学習意欲を高めることができる。
【００４０】
この第２実施例によれば、気象予報士を目指す人を主体として、契約による学習システムとして、ビジネスとしての気象予報訓練システムを構築できる。
上記第２実施例においては、試験問題の送信のみを契約するようにするものでも良い。
【００４１】
図７および図８は、本発明に係る気象予報訓練システムの第３実施例を示すフローチャートであり、第１実施例と異なるところは次の通りである。
試験問題用天気図およびグラフ２０のうちの所定の天気図およびグラフにおいて、予報対象となる領域を中心とした、６×６の３６箇所の所定の地点での地上気圧値ＧＰＡ１…ＧＰＡ１８，ＧＰＢ１…ＧＰＢ６，ＧＰＣ１…ＧＰＣ６，ＧＰＤ１…ＧＰＤ６，ＧＰＥ１…ＧＰＥ６，ＧＰＦ１…ＧＰＦ６（以下ＧＰＡ１〜ＧＰＦ６と称する）、上空（８５０ｈＰａ）気圧値Ｓ１ＰＡ１…Ｓ１ＰＡ１８，Ｓ１ＰＢ１…Ｓ１ＰＢ６，Ｓ１ＰＣ１…Ｓ１ＰＣ６，Ｓ１ＰＤ１…Ｓ１ＰＤ６，Ｓ１ＰＥ１…Ｓ１ＰＥ６，Ｓ１ＰＦ１…Ｓ１ＰＦ６（以下Ｓ１ＰＡ１〜Ｓ１ＰＦ６と称する）、上空（５００ｈＰａ）気圧値Ｓ２ＰＡ１…Ｓ２ＰＡ１８，Ｓ２ＰＢ１…Ｓ２ＰＢ６，Ｓ２ＰＣ１…Ｓ２ＰＣ６，Ｓ２ＰＤ１…Ｓ２ＰＤ６，Ｓ２ＰＥ１…Ｓ２ＰＥ６，Ｓ２ＰＦ１…Ｓ２ＰＦ６（以下Ｓ２ＰＡ１〜Ｓ２ＰＦ６と称する）が記憶されている。
【００４２】
更に、上述３６箇所の所定の地点での気温ＴＡ１…ＴＡ１８，ＴＢ１…ＴＢ６，ＴＣ１…ＴＣ６，ＴＤ１…ＴＤ６，ＴＥ１…ＴＥ６，ＴＦ１…ＴＦ６（以下ＴＡ１〜ＴＦ６と称する）、温位ＴＬＡ１…ＴＬＡ１８，ＴＬＢ１…ＴＬＢ６，ＴＬＣ１…ＴＬＣ６，ＴＬＤ１…ＴＬＤ６，ＴＬＥ１…ＴＬＥ６，ＴＬＦ１…ＴＬＦ６（以下ＴＬＡ１〜ＴＬＦ６と称する）、風速ＷＡ１…ＷＡ１８，ＷＢ１…ＷＢ６，ＷＣ１…ＷＣ６，ＷＤ１…ＷＤ６，ＷＥ１…ＷＥ６，ＷＦ１…ＷＦ６（以下ＷＡ１〜ＷＦ６と称する）が記憶されている。
【００４３】
そして、記録媒体３をセットして読み込ませた後、インターネット１５を通じて気象情報提供源１６にアクセスし、そのアクセス操作に基づいて、そのアクセス時からの気象予報に必要な気象予報用天気図およびグラフを気象情報提供源１６から入手する。その入手した気象予報用天気図およびグラフから前述した所定地点での地上気圧値ＧＰａ１…ＧＰａ１８，ＧＰｂ１…ＧＰｂ６，ＧＰｃ１…ＧＰｃ６，ＧＰｄ１…ＧＰｄ６，ＧＰｅ１…ＧＰｅ６，ＧＰｆ１…ＧＰｆ６（以下ＧＰａ１〜ＧＰｆ６と称する）を入力し（Ｔ１）、順次、上空（８５０ｈＰａ）気圧値Ｓ１Ｐａ１…Ｓ１Ｐａ１８，Ｓ１Ｐｂ１…Ｓ１Ｐｂ６，Ｓ１Ｐｃ１…Ｓ１Ｐｃ６，Ｓ１Ｐｄ１…Ｓ１Ｐｄ６，Ｓ１Ｐｅ１…Ｓ１Ｐｅ６，Ｓ１Ｐｆ１…Ｓ１Ｐｆ６（以下Ｓ１Ｐａ１〜Ｓ１Ｐｆ６と称する）、上空（５００ｈＰａ）気圧値Ｓ２Ｐａ１…Ｓ２Ｐａ１８，Ｓ２Ｐｂ１…Ｓ２Ｐｂ６，Ｓ２Ｐｃ１…Ｓ２Ｐｃ６，Ｓ２Ｐｄ１…Ｓ２Ｐｄ６，Ｓ２Ｐｅ１…Ｓ２Ｐｅ６，Ｓ２Ｐｆ１…Ｓ２Ｐｆ６（以下Ｓ２Ｐａ１〜Ｓ２Ｐｆ６と称する）を入力する（Ｔ２）（Ｔ３）。
【００４４】
更に、上述３６箇所の所定の地点での気温Ｔａ１…Ｔａ１８，Ｔｂ１…Ｔｂ６，Ｔｃ１…Ｔｃ６，Ｔｄ１…Ｔｄ６，Ｔｅ１…Ｔｅ６，Ｔｆ１…Ｔｆ６（以下Ｔａ１〜Ｔｆ６と称する）、温位ＴＬａ１…ＴＬａ１８，ＴＬｂ１…ＴＬｂ６，ＴＬｃ１…ＴＬｃ６，ＴＬｄ１…ＴＬｄ６，ＴＬｅ１…ＴＬｅ６，ＴＬｆ１…ＴＬｆ６（以下ＴＬａ１〜ＴＬｆ６と称する）、風速Ｗａ１…Ｗａ１８，Ｗｂ１…Ｗｂ６，Ｗｃ１…Ｗｃ６，Ｗｄ１…Ｗｄ６，Ｗｅ１…Ｗｅ６，Ｗｆ１…Ｗｆ６（以下Ｗａ１〜Ｗｆ６と称する）を入力し（Ｔ４）（Ｔ５）（Ｔ６）、順位番号ｎ（＝０〜７９）を１個ずつ繰り上げて気象パターンＰｎを特定する（Ｔ７）。
【００４５】
特定された気象パターンＰｎの地上気圧値ＧＰＡ１〜ＧＰＦ６と、地上気圧値ＧＰａ１〜ＧＰｆ６とを加減算して合計値を算出し（Ｔ８）、算出された合計値と、一回前に記憶された二つの合計値とを比較し、小さい方から二つの気象パターンを記憶する（Ｔ９）。これらの処理を８０個の気象パターンに対して行ったかどうかを判断し（Ｔ１０）、地上気圧値において全てが済むまでステップＴ７〜Ｔ９の動作を繰返す。
【００４６】
地上気圧値において全てが済んだ時点で、そのときに記憶されている二つの気象パターンを、地上気圧値における第１および第２の気象パターンとして抽出しておくとともに順位番号ｎを０に戻しておく（Ｔ１１）。
【００４７】
次いで、ステップＴ１２に移行し、上空（８５０ｈＰａ）気圧値Ｓ１ＰＡ１〜Ｓ１ＰＦ６、上空（５００ｈＰａ）気圧値Ｓ２ＰＡ１〜Ｓ２ＰＦ６、気温ＴＡ１〜ＴＦ６、温位ＴＬＡ１〜ＴＬＦ６それぞれについて、順次ステップＴ７〜Ｔ１１と同様の処理を行う。
【００４８】
その後、図８に示すように、順位番号ｎ（＝０〜７９）を１個ずつ繰り上げて気象パターンＰｎを特定してから（Ｔ１３）、特定された気象パターンＰｎの風速ＷＡ１〜ＷＦ６と、風速Ｔａ１〜Ｔｆ６とを加減算して合計値を算出し（Ｔ１４）、算出された合計値と、一回前に記憶された二つの合計値とを比較し、小さい方から二つの気象パターンを記憶する（Ｔ１５）。これらの処理を８０個の気象パターンに対して行ったかどうかを判断し（Ｔ１６）、風速において全てが済むまでステップＴ１３〜Ｔ１６の動作を繰返す。
【００４９】
風速において全てが済んだ時点で、そのときに記憶されている二つの気象パターンを、風速における第１および第２の気象パターンとして記憶する（Ｔ１７）。
【００５０】
次いで、そのときに記憶されている１２個の気象パターンのうち、重複しているものがないかどうかを判別し、重複度が最も多い気象パターンを最も類似度の高い気象パターンとして抽出する。重複度が重なっている場合、または、全く重複していない場合にあっては、前述判断処理で再先に抽出された第１の気象パターンを気象予報用天気図およびグラフと最も類似した試験問題用天気図およびグラフに対応する気象パターンとして抽出する（Ｔ１８）。
【００５１】
その後、抽出された気象パターンから、穴埋めパターン、作図パターンおよび記述パターンそれぞれにおいて１〜１０の番号を表示して選択を促すようにし（図５参照）（Ｔ１９）、各パターンそれぞれにおいて１０個の中から一つづつ選択する（Ｔ２０）。上記ステップＴ１からステップＴ２０までの処理が試験問題抽出手段による試験問題抽出処理に相当する。
【００５２】
ステップＴ２０で選択するに伴い、その選択された試験問題を試験問題用天気図およびグラフとともに出力表示させ、プリンター８で印刷できるようにする（Ｔ２１）。このとき、各パターンそれぞれでは、予め問題番号として１〜１０の番号が割り当てられているが、選択に伴い、選択された問題よりも後のものの番号が繰り上げられるとともに、選択された問題の番号が最後尾の１０になり、問題番号が変わり、同一の問題を継続して選択しにくいようにしてある。このステップＴ２１が出力処理に相当する。
【００５３】
ステップＴ２０で選択された試験問題を試験問題用天気図およびグラフとともに出力表示するときに、各試験問題をも正答データベース１８から抽出して格納しておき（Ｔ２２）、試験問題の解答が済んで答え合わせを行う際に、正答要求のアクセス操作が有った場合に（Ｔ２３）、その格納されている正答を出力表示する（Ｔ２４）。上記ステップＴ２２からステップＴ２４までの処理が正答抽出手段による正答抽出処理に相当する。
【００５４】
この第３実施例によれば、類似度の判別種類の数が多く、気象予報用天気図およびグラフとより一層類似した試験問題用天気図およびグラフを抽出でき、通常の気象変化の場合に、その後の実際の気象変化からも気象予報が正しいかどうかを良好に確認することができる。この第３実施例は、ビジネスとしての気象予報訓練システムを構築する上で好適である。
【００５５】
上述第３実施例では、類似度の判別種類として、地上気圧値、上空（８５０ｈＰａ）気圧値、上空（５００ｈＰａ）気圧値、気温、温位、風速の６種類を例示したが、本発明としては、更に多くしても良く、また、逆に少なくするものでも良い。
【００５６】
【発明の効果】
以上の説明から明らかなように、本発明の気象予報訓練システムによれば、アクセス操作に応じて、そのアクセス時からの気象予報に必要な気象予報用天気図およびグラフに類似した天気図およびグラフの試験問題で学習できるから、それ以降刻々と変化する実際の気象と試験問題に対する解答とを比較することができ、気象予報に対する学習意欲を向上できて気象予報の訓練を効果的に行える。
【図面の簡単な説明】
【図１】本発明に係る気象予報訓練システムの第１実施例を示す全体構成図である。
【図２】データテーブルの図である。
【図３】データテーブルの図である。
【図４】フローチャートである。
【図５】選択画面の表示例を示す図である。
【図６】本発明に係る気象予報訓練システムの第２実施例を示す全体構成図である。
【図７】本発明に係る気象予報訓練システムの第３実施例を示すフローチャートである。
【図８】本発明に係る気象予報訓練システムの第３実施例を示すフローチャートである。
【符号の説明】
３，３ａ…記録媒体
１２ａ…送信手段
１７…試験問題データベース
１８…正答データベース
１９…気象パターン
２０…試験問題用天気図
【図１】
2004020382.tif 000003
【図２】
2004020382.tif 000004
【図３】
2004020382.tif 000005
【図４】
2004020382.tif 000006
【図５】
2004020382.tif 000007
【図６】
2004020382.tif 000008
【図７】
2004020382.tif 000009
【図８】
2004020382.tif 000010